(57)【要約】【課題】店舗側に特殊な装置を設けなくとも、ネットワーク上の装置から店舗の来客に電子書籍を取り次ぐことができ、かつ、閲覧時間に応じて電子書籍の閲覧料金を決定できるシステムを提供する。【解決手段】電子書籍取次システム１の取次装置５は、端末装置２から書籍識別子を含む配信リクエストを受信すると、配信リクエストを送信した端末装置２に対して、配信リクエストに含まれる書籍識別子に対応する電子書籍を配信する電子書籍配信手段５４と、書籍識別子毎に電子書籍の閲覧時間を記した閲覧時間情報を含む売上集計リクエストを受信すると、売上集計リクエストを保存し、全ての端末装置２から売上集計リクエストを受信すると、電子書籍の閲覧料金を店舗名義・出版社名義単位で集計する売上集計手段５６を備えている。【選択図】図３
2013206092.tif 000002
【特許請求の範囲】
【請求項１】
取次委託者から納入された電子書籍を店舗に取り次ぐ取次装置と、電子書籍が取り次がれる店舗に設置された複数の端末装置とから少なくとも構成されるシステムであって、
前記取次装置は、店舗の店舗識別子を含むリクエストとして、書籍識別子を含む配信リクエストを前記端末装置から受信すると、前記配信リクエストを送信した前記端末装置に対して、前記配信リクエストに含まれる書籍識別子に対応する電子書籍を配信する電子書籍配信手段と、店舗の店舗識別子を含むリクエストとして、書籍識別子毎に電子書籍の閲覧時間を記した閲覧時間情報を含む売上集計リクエストを受信すると、前記売上集計リクエストを保存し、全ての前記端末装置から前記売上集計リクエストを受信したことが確認できると、前記売上集計リクエストに含まれる店舗識別子と、書籍識別子に関連付けて取次委託者識別子及び単位時間閲覧料を記した電子書籍情報を用いて、電子書籍の閲覧料金を店舗識別子、取次委託者識別子の組単位で集計する売上集計手段と、を備え、
前記端末装置は、電子書籍をダウンロードする操作がなされると、操作の対象となった電子書籍の書籍識別子を含む前記配信リクエストを前記取次装置へ送信した後、前記取次装置から配信された電子書籍を記憶装置に保存するダウンロード手段と、記憶装置に保存されている電子書籍を閲覧する操作がなされると、操作の対象となった電子書籍を表示し、電子書籍を表示している時間を閲覧時間として計測した後、前記端末装置で記憶している前記閲覧時間情報に、前記電子書籍閲覧手段が表示していた電子書籍の書籍識別子に関連付けてこの閲覧時間を保存する閲覧管理手段と、売上集計日になると、前記端末装置に保存している前記閲覧時間情報を含ませた前記売上集計リクエストを前記取次装置へ送信する売上送信手段と、を備え、
ていることを特徴とする電子書籍取次システム。
【請求項２】
前記取次装置の前記売上集計手段は、電子書籍の閲覧料金を店舗識別子、取次委託者識別子の組単位で集計した後、電子書籍の閲覧料金を店舗識別子毎に集計し、電子書籍の閲覧料金を取次委託者識別子毎に集計することを特徴とする、請求項１に記載した電子書籍取次システム。
【請求項３】
前記取次装置は、店舗の店舗識別子を含むリクエストを前記端末装置から受信すると、このリクエストをリクエスト認証するリクエスト認証手段を備え、前記取次装置は、店舗の店舗識別子を含むリクエストのリクエスト認証に前記リクエスト認証手段が失敗した場合、リクエスト認証に失敗したリクエストに対応する処理を中止することを特徴とする、請求項１または２に記載した電子書籍取次システム。
【請求項４】
前記端末装置は、店舗の店舗識別子と、前記端末装置に設定されているアカウント情報を含ませたリクエストを前記取次装置へ送信し、前記取次装置は、店舗識別子に関連付けて前記アカウント情報を記憶し、前記取次装置の前記リクエスト認証手段は、リクエスト認証として、前記端末装置から受信したこのリクエストに含まれる前記アカウント情報と、前記端末装置から受信したこのリクエストに含まれる店舗識別子に関連付けて記憶している前記アカウント情報を照合することを特徴とする、請求項３に記載した電子書籍取次システム。
【請求項５】
前記端末装置と前記取次装置を接続するルータ装置を店舗に設置し、前記取次装置は、店舗識別子に関連付けて前記ルータ装置のＩＰアドレスを記憶し、前記取次装置の前記リクエスト認証手段は、リクエスト認証として、店舗の店舗識別子を含むリクエストを前記端末装置から受信すると、このリクエストの送信元アドレスと、このリクエストに含まれる店舗識別子に関連付けて前記取次装置側で記憶しているＩＰアドレスを照合することを特徴とする、請求項３または４に記載した電子書籍取次システム。
【請求項６】
前記取次装置は、店舗識別子に関連付けて、店舗に配信可能な電子書籍の書籍識別子を記した配信制御情報を記憶し、前記取次装置の前記電子書籍配信手段は、前記配信リクエストに含まれる書籍識別子が、前記配信リクエストに含まれる店舗識別子に関連付けられた前記配信制御情報に記されている場合のみ、この電子書籍を前記端末装置に配信することを特徴とする、請求項１乃至５のいずれか一項に記載した電子書籍取次システム。
【請求項７】
前記取次装置は、検索条件に適合する電子書籍を検索する検索リクエストを受信すると、検索条件に適合する電子書籍を検索し、検索した電子書籍の書籍識別子を記した検索結果を、前記検索リクエストを送信した前記端末装置へ送信する検索手段を備え、
前記端末装置は、ユーザが入力した検索条件を含む前記検索リクエストを前記取次装置へ送信し、前記取次装置から受信した検索結果を表示する検索要求手段を備え、前記ダウンロード手段は、電子書籍の検索結果の中から電子書籍を選択する操作がなされると、選択された電子書籍の書籍識別子を含む前記配信リクエストを前記取次装置へ送信する、
ことを特徴とする請求項１乃至６のいずれか一項に記載した電子書籍取次システム。
【請求項８】
店舗の店舗識別子を含むリクエストとして、電子書籍が取り次がれる店舗に設置された端末装置から書籍識別子を含む配信リクエストを受信すると、前記配信リクエストを送信した前記端末装置に対して、前記配信リクエストに含まれる書籍識別子に対応する電子書籍を配信する電子書籍配信手段と、店舗の店舗識別子を含むリクエストとして、書籍識別子毎に電子書籍の閲覧時間を記した閲覧時間情報を含む売上集計リクエストを受信すると、前記売上集計リクエストを保存し、全ての前記端末装置から前記売上集計リクエストを受信したことが確認できると、前記売上集計リクエストに含まれる店舗識別子と、書籍識別子に関連付けて取次委託者識別子及び単位時間閲覧料を記した電子書籍情報を用いて、電子書籍の閲覧料金を店舗識別子、取次委託者識別子の組単位で集計する売上集計手段と、を備えていることを特徴とする取次装置。
【請求項９】
前記取次装置の前記売上集計手段は、電子書籍の閲覧料金を店舗識別子、取次委託者識別子の組単位で集計した後、電子書籍の閲覧料金を店舗識別子毎に集計し、更に、電子書籍の閲覧料金を取次委託者識別子毎に集計することを特徴とする、請求項８に記載した取次装置。
【請求項１０】
前記取次装置は、店舗の店舗識別子を含むリクエストを前記端末装置から受信すると、このリクエストをリクエスト認証するリクエスト認証手段を備え、前記取次装置は、店舗の店舗識別子を含むリクエストのリクエスト認証に前記リクエスト認証手段が失敗した場合、リクエスト認証に失敗したリクエストに対応する処理を中止することを特徴とする、請求項８または９に記載した取次装置。
【請求項１１】
前記取次装置は、店舗識別子に関連付けて前記アカウント情報を記憶し、前記リクエスト認証手段は、リクエスト認証として、店舗の店舗識別子と、前記端末装置に設定されているアカウント情報を含ませたリクエストを前記端末装置から受信すると、このリクエストに含まれる前記アカウント情報と、このリクエストに含まれる店舗識別子に関連付けて記憶している前記アカウント情報を照合することを特徴とする、請求項１０に記載した取次装置。
【請求項１２】
前記取次装置は、店舗識別子に関連付けて、店舗に設置されたルータ装置のＩＰアドレスを記憶し、前記リクエスト認証手段は、リクエスト認証として、店舗の店舗識別子を含むリクエストを前記端末装置から受信すると、このリクエストの送信元アドレスと、このリクエストに含まれる店舗識別子に関連付けて前記取次装置側で記憶しているＩＰアドレスを照合することを特徴とする、請求項１０または１１に記載した取次装置。
【請求項１３】
前記取次装置は、店舗識別子に関連付けて、店舗に配信可能な電子書籍の書籍識別子を記した配信制御情報を記憶し、前記電子書籍配信手段は、前記配信リクエストに含まれる書籍識別子が、前記配信リクエストに含まれる店舗識別子に関連付けられた前記配信制御情報に記されている場合のみ、この電子書籍を前記端末装置に配信することを特徴とする、請求項８乃至１２のいずれか一項に記載した取次装置。
【請求項１４】
電子書籍が取り次がれる店舗に設置された端末装置を、
電子書籍をダウンロードする操作がなされると、取次委託者から納入された電子書籍を店舗に取り次ぐ取次装置に対して、操作の対象となった電子書籍の書籍識別子を含む前記配信リクエストを送信した後、前記取次装置から配信された電子書籍を記憶装置に保存するダウンロード手段と、記憶装置に保存されている電子書籍を閲覧する操作がなされると、操作の対象となった電子書籍を表示し、電子書籍を表示している時間を閲覧時間として計測した後、前記電子書籍閲覧手段が表示していた電子書籍の書籍識別子に関連付けてこの閲覧時間を閲覧時間情報に保存する閲覧管理手段と、売上集計日になると、前記閲覧時間情報を含ませた前記売上集計リクエストを前記取次装置へ送信する売上送信手段として機能させるためのコンピュータプログラム。
【発明の詳細な説明】
【技術分野】
【０００１】
本発明は、来客に書籍を貸与する店舗に対して電子書籍を取り次ぐための発明に関する。
【背景技術】
【０００２】
文字や絵などを紙に印刷した紙媒体の書籍（雑誌も含む）を購入するケースとして、個人が購入するケースもあるが、店舗の来客へ貸与するために店舗が購入するケースもある。
【０００３】
紙媒体の書籍を営利目的で来客に貸与する店舗して漫画喫茶がある。漫画喫茶は、紙媒体の書籍である漫画を営利目的で来客に貸与するために、多数の漫画を購入する。また、紙媒体の書籍を営利目的ではないサービス目的で来客に貸与する店舗して、診療所、美容院や飲食店などがある。これらの店舗は、来客が持ち時間をつぶせるように、客層や店舗に合わせた数種類の紙媒体の書籍を購入する。
【０００４】
一方で、コンピュータ技術の発展により、紙媒体の書籍の内容を電子化した電子書籍が普及し、すでに、電子書籍をネットワーク上で販売する電子書籍サイトが数多く構築されている。
【０００５】
また、漫画喫茶の場合、多数購入する漫画を電子書籍にすることで、書棚スペースが必要なくなり、席数を増やせるなどのメリットが生まれるため、店舗が来客へ電子書籍を貸与できるようにする発明も開示されている（例えば、特許文献１）。
【０００６】
特許文献１で開示されている発明では、センタ側配信装置から店舗側配信装置経由で端末装置へデジタルコンテンツを配信して、限定された場所内でのみアクセスすることができるすべての当該デジタルコンテンツを時間制限内で視聴可能にすると共に、端末装置で視聴された当該デジタルコンテンツの視聴回数を管理し、当該デジタルコンテンツの視聴回数に基づき著作権料を計算する。
【先行技術文献】
【特許文献】
【０００７】
【特許文献１】特開２００２−１８９９４９号公報
【発明の概要】
【発明が解決しようとする課題】
【０００８】
インターネット技術を利用すれば、インターネットを利用して店舗の来客に電子書籍を配信できるようになるため、インターネット上の装置から来客に、店舗の来客が閲覧希望する電子書籍を取り次げるようにすることが望ましいが、特許文献１のようなシステムを構成すると、特許文献１の店舗側配信装置のような装置が店舗側で必要となり、店舗側での負担が大きくなってしまう。
【０００９】
また、実際に、来客が紙媒体の書籍を閲覧する際、興味のある一部の記事や試し読みなど、書籍のすべての内容を閲覧しないケースもあるため、電子書籍の視聴回数ではなく、電子書籍の閲覧時間に応じて閲覧料金を決定できることが望ましい。特に、漫画喫茶は、漫画喫茶の時間料金を利用者から徴収していることが多いため、閲覧時間に基づいて閲覧料金を算出するできることが望ましい。
【００１０】
そこで、本発明は、電子書籍を来客に貸与する店舗側に特殊な装置を設けなくとも、ネットワーク上の装置から店舗の来客に電子書籍を取り次ぐことができ、かつ、閲覧時間に応じて電子書籍の閲覧料金を決定できるシステム、装置およびコンピュータプログラムを提供することを目的とする。
【課題を解決するための手段】
【００１１】
上述した課題を解決する第１の発明は、取次委託者から納入された電子書籍を店舗に取り次ぐ取次装置と、電子書籍が取り次がれる店舗に設置された複数の端末装置とから少なくとも構成されるシステムであって、取次委託者から納入された電子書籍を店舗に取り次ぐために、前記取次装置は、店舗の店舗識別子を含むリクエストとして、書籍識別子を含む配信リクエストを前記端末装置から受信すると、前記配信リクエストを送信した前記端末装置に対して、前記配信リクエストに含まれる書籍識別子に対応する電子書籍を配信する電子書籍配信手段を備える。
【００１２】
また、前記端末装置に取り次いだ電子書籍の閲覧料金を集計できるように、第１の発明において、前記取次装置は、店舗の店舗識別子を含むリクエストとして、書籍識別子毎に電子書籍の閲覧時間を記した閲覧時間情報を含む売上集計リクエストを受信すると、前記売上集計リクエストを保存し、全ての前記端末装置から前記売上集計リクエストを受信したことが確認できると、前記売上集計リクエストに含まれる店舗識別子と、書籍識別子に関連付けて取次委託者識別子及び単位時間閲覧料を記した電子書籍情報を用いて、電子書籍の閲覧料金を店舗識別子、取次委託者識別子の組単位で集計する売上集計手段を備える。
【００１３】
また、前記取次装置から電子書籍を取り次げるように、第１の発明において、前記端末装置は、電子書籍をダウンロードする操作がなされると、操作の対象となった電子書籍の書籍識別子を含む前記配信リクエストを前記取次装置へ送信した後、前記取次装置から配信された電子書籍を記憶装置に保存するダウンロード手段を備える。
【００１４】
また、電子書籍の売り上げを前記取次装置へ送信できるように、第１の発明において、前記端末装置は、記憶装置に保存されている電子書籍を閲覧する操作がなされると、操作の対象となった電子書籍を表示し、電子書籍を表示している時間を閲覧時間として計測した後、前記端末装置で記憶している前記閲覧時間情報に、前記電子書籍閲覧手段が表示していた電子書籍の書籍識別子に関連付けてこの閲覧時間を保存する閲覧管理手段と、売上集計日になると、前記端末装置に保存している前記閲覧時間情報を含ませた前記売上集計リクエストを前記取次装置へ送信する売上送信手段を備える。
【００１５】
更に、上述した課題を解決する第２の発明は、第１の発明に記載した電子書籍取次システムにおいて、店舗への請求金額と取次委託者への支払い金額を算出できるように、前記取次装置の前記売上集計手段は、電子書籍の閲覧料金を店舗識別子、取次委託者識別子の組単位で集計した後、電子書籍の閲覧料金を店舗識別子毎に集計し、更に、電子書籍の閲覧料金を取次委託者識別子毎に集計することを特徴とする。
【００１６】
更に、上述した課題を解決する第３の発明は、第１の発明または第２の発明に記載した電子書籍取次システムにおいて、正当な前記端末装置に対してのみ電子書籍を取り次ぎできるように、前記取次装置は、店舗の店舗識別子を含むリクエストを前記端末装置から受信すると、このリクエストをリクエスト認証するリクエスト認証手段を備え、前記取次装置は、店舗の店舗識別子を含むリクエストのリクエスト認証に前記リクエスト認証手段が失敗した場合、リクエスト認証に失敗したリクエストに対応する処理を中止することを特徴とする。
【００１７】
更に、上述した課題を解決する第４の発明は、第３の発明に記載した電子書籍取次システムにおいて、アカウント情報を用いてリクエスト認証できるように、前記端末装置は、店舗の店舗識別子と、前記端末装置に設定されているアカウント情報を含ませたリクエストを前記取次装置へ送信し、前記取次装置は、店舗識別子に関連付けて前記アカウント情報を記憶し、前記取次装置の前記リクエスト認証手段は、リクエスト認証として、前記端末装置から受信したこのリクエストに含まれる前記アカウント情報と、前記端末装置から受信したこのリクエストに含まれる店舗識別子に関連付けて記憶している前記アカウント情報を照合することを特徴とする。
【００１８】
更に、上述した課題を解決する第５の発明は、第３の発明または第４の発明に記載した電子書籍取次システムにおいて、前記端末装置が店舗に設置されていることを検証できるように、前記端末装置と前記取次装置を接続するルータ装置を店舗に設置し、前記取次装置は、店舗識別子に関連付けて前記ルータ装置のＩＰアドレスを記憶し、前記取次装置の前記リクエスト認証手段は、リクエスト認証として、店舗の店舗識別子を含むリクエストを前記端末装置から受信すると、このリクエストの送信元アドレスと、このリクエストに含まれる店舗識別子に関連付けて前記取次装置側で記憶しているＩＰアドレスを照合することを特徴とする。
【００１９】
更に、上述した課題を解決する第６の発明は、第１の発明乃至第５の発明のいずれか一項に記載した電子書籍取次システムにおいて、配信可能な電子書籍のみを取り次ぎできるように、前記取次装置は、店舗識別子に関連付けて、店舗に配信可能な電子書籍の書籍識別子を記した配信制御情報を記憶し、前記取次装置の前記電子書籍配信手段は、前記配信リクエストに含まれる書籍識別子が、前記配信リクエストに含まれる店舗識別子に関連付けられた前記配信制御情報に記されている場合のみ、この電子書籍を前記端末装置に配信することを特徴とする。
【００２０】
更に、上述した課題を解決する第７の発明は、第１の発明乃至第６の発明のいずれか一項に記載した電子書籍取次システムにおいて、前記端末装置のユーザが電子書籍を検索できるように、前記取次装置は、検索条件に適合する電子書籍を検索する検索リクエストを受信すると、検索条件に適合する電子書籍を検索し、検索した電子書籍の書籍識別子を記した検索結果を、前記検索リクエストを送信した前記端末装置へ送信する検索手段を備え、前記端末装置は、ユーザが入力した検索条件を含む前記検索リクエストを前記取次装置へ送信し、前記取次装置から受信した検索結果を表示する検索要求手段を備え、前記ダウンロード手段は、電子書籍の検索結果の中から電子書籍を選択する操作がなされると、選択された電子書籍の書籍識別子を含む前記配信リクエストを前記取次装置へ送信することを特徴とする。
【００２１】
更に、上述した課題を解決する第８の発明は、取次装置にかかる発明で、第８の発明の取次装置は、店舗の店舗識別子を含むリクエストとして、電子書籍が取り次がれる店舗に設置された端末装置から書籍識別子を含む配信リクエストを受信すると、前記配信リクエストを送信した前記端末装置に対して、前記配信リクエストに含まれる書籍識別子に対応する電子書籍を配信する電子書籍配信手段と、店舗の店舗識別子を含むリクエストとして、書籍識別子毎に電子書籍の閲覧時間を記した閲覧時間情報を含む売上集計リクエストを受信すると、前記売上集計リクエストを保存し、全ての前記端末装置から前記売上集計リクエストを受信したことが確認できると、前記売上集計リクエストに含まれる店舗識別子と、書籍識別子に関連付けて取次委託者識別子及び単位時間閲覧料を記した電子書籍情報を用いて、電子書籍の閲覧料金を店舗識別子、取次委託者識別子の組単位で集計する売上集計手段と、を備えていることを特徴とする。
【００２２】
更に、上述した課題を解決する第９の発明は、第８の発明に記載した取次装置において、前記取次装置の前記売上集計手段は、電子書籍の閲覧料金を店舗識別子、取次委託者識別子の組単位で集計した後、電子書籍の閲覧料金を店舗識別子毎に集計し、更に、電子書籍の閲覧料金を取次委託者識別子毎に集計することを特徴とする。
【００２３】
更に、上述した課題を解決する第１０の発明は、第８の発明または第９の発明に記載した取次装置において、前記取次装置は、店舗の店舗識別子を含むリクエストを前記端末装置から受信すると、このリクエストをリクエスト認証するリクエスト認証手段を備え、前記取次装置は、店舗の店舗識別子を含むリクエストのリクエスト認証に前記リクエスト認証手段が失敗した場合、リクエスト認証に失敗したリクエストに対応する処理を中止することを特徴とする。
【００２４】
更に、上述した課題を解決する第１１の発明は、第１０の発明に記載した取次装置において、店舗識別子に関連付けて前記アカウント情報を記憶し、前記リクエスト認証手段は、リクエスト認証として、店舗の店舗識別子と、前記端末装置に設定されているアカウント情報を含ませたリクエストを前記端末装置から受信すると、このリクエストに含まれる前記アカウント情報と、このリクエストに含まれる店舗識別子に関連付けて記憶している前記アカウント情報を照合することを特徴とする。
【００２５】
更に、上述した課題を解決する第１２の発明は、第１０の発明または第１１の発明に記載した取次装置において、前記取次装置は、店舗識別子に関連付けて、店舗に設置されたルータ装置のＩＰアドレスを記憶し、前記リクエスト認証手段は、リクエスト認証として、店舗の店舗識別子を含むリクエストを前記端末装置から受信すると、このリクエストの送信元アドレスと、このリクエストに含まれる店舗識別子に関連付けて前記取次装置側で記憶しているＩＰアドレスを照合することを特徴とする。
【００２６】
更に、上述した課題を解決する第１３の発明は、第８の発明乃至第１２の発明のいずれか一項に記載した取次装置において、前記取次装置は、店舗識別子に関連付けて、店舗に配信可能な電子書籍の書籍識別子を記した配信制御情報を記憶し、前記電子書籍配信手段は、前記配信リクエストに含まれる書籍識別子が、前記配信リクエストに含まれる店舗識別子に関連付けられた前記配信制御情報に記されている場合のみ、この電子書籍を前記端末装置に配信することを特徴とする。
【００２７】
更に、上述した課題を解決する第１４の発明は、電子書籍が取り次がれる店舗に設置された端末装置を機能させるためのコンピュータプログラムであって、電子書籍をダウンロードする操作がなされると、取次委託者から納入された電子書籍を店舗に取り次ぐ取次装置に対して、操作の対象となった電子書籍の書籍識別子を含む前記配信リクエストを送信した後、前記取次装置から配信された電子書籍を記憶装置に保存するダウンロード手段と、記憶装置に保存されている電子書籍を閲覧する操作がなされると、操作の対象となった電子書籍を表示し、電子書籍を表示している時間を閲覧時間として計測した後、前記電子書籍閲覧手段が表示していた電子書籍の書籍識別子に関連付けてこの閲覧時間を閲覧時間情報に保存する閲覧管理手段と、売上集計日になると、前記閲覧時間情報を含ませた前記売上集計リクエストを前記取次装置へ送信する売上送信手段として端末装置を機能させるためのコンピュータプログラムである。
【発明の効果】
【００２８】
上述した本発明によれば、電子書籍を来客に貸与する店舗側に特殊な装置を設けなくとも、ネットワーク上の装置から店舗の来客に電子書籍を取り次ぐことができ、かつ、閲覧時間に応じて電子書籍の閲覧料金を決定できるシステム、取次装置およびコンピュータプログラムを提供できる。
【図面の簡単な説明】
【００２９】
【図１】電子書籍取次システムのシステム構成を説明する図。
【図２】電子書籍を取り次ぐ際に実行される処理を説明する図。
【図３】取次装置が備える機能を説明する図。
【図４】取次委託者情報、書誌情報および電子書籍情報を説明する図。
【図５】店舗情報と配信制御情報を説明する図。
【図６】端末装置が備える機能を説明する図。
【図７】取次委託者準備処理の詳細を説明する図。
【図８】店舗準備処理１の詳細を説明する図。
【図９】店舗準備処理２の詳細を説明する図。
【図１０】取次処理の詳細を説明する図。
【図１１】閲覧処理の詳細を説明する図。
【図１２】端末装置に保存される閲覧時間情報を説明する図。
【図１３】売上処理の詳細を説明する図。
【図１４】売上集計処理の詳細を説明する図。
【図１５】端末装置２に保存されている電子書籍の閲覧時間の一例を示した図。
【図１６】閲覧時間を集計する内容を説明する図。
【発明を実施するための形態】
【００３０】
ここから、本発明の好適な実施形態について、図面を参照しながら詳細に説明する。なお、これから説明する実施形態は本発明の１つの実施形態にしか過ぎず、本発明は、これから説明する実施形態に限定されることなく、種々の変形や変更が可能である。
【００３１】
図１は、本実施形態における電子書籍取次システム１のシステム構成を説明する図である。
【００３２】
本実施形態の電子書籍取次システム１は、来客へ貸与するために紙媒体の書籍を購入していた店舗が、専用の装置を購入しなくとも、多種の電子書籍を店舗に取次できるように開発されたシステムで、図１の電子書籍取次システム１では、電子書籍の取次先となる店舗（ここでは、漫画喫茶６）に、漫画等の電子書籍を閲覧する際に用いられる複数の端末装置２と、端末装置２が無線アクセスするルータ装置３を配置し、漫画喫茶６の端末装置２に電子書籍を取り次ぐ取次装置５をインターネット４上に配置している。また、図１では、取次側の管理者７ａ、漫画喫茶６の管理者７ｂ、漫画喫茶のユーザ７ｃを図示している。
【００３３】
図２は、漫画喫茶６の端末装置２に電子書籍を取り次ぐ際に実行される処理を説明する図である。
【００３４】
（取次委託者準備処理）
取次装置５に電子書籍を納品する取次委託者は、取次装置５への登録が予め必要で、取次装置５の管理者７ａが、この取次委託者の取次委託者情報を取次装置５に登録すると、取次装置５に登録された取次委託者から取次装置５への電子書籍の納品が可能となり、電子書籍が取次委託者から納品されると、取次装置５の管理者７ａは、取次委託者の取次委託者識別子に関連付けて電子書籍を取次装置５に登録する。なお、ここで、取次委託者とは、著作者、出版社、電子書籍の制作者など、電子書籍の取次を取次装置５に委託する者を意味する。
【００３５】
（店舗準備処理１）
漫画喫茶６が取次装置５を利用するためには、取次装置５への登録が予め必要で、取次装置５の管理者７ａが、この漫画喫茶６の店舗情報を取次装置５に登録した後、取次装置５の管理者７ａから漫画喫茶６の管理者７ｂに対して、電子書籍を取り次ぐ際に必要となる専用アプリケーションと、取次装置５に登録した店舗のアカウント情報が提供される。
【００３６】
（店舗準備処理２）
漫画喫茶６の端末装置２を利用して取次装置５にアクセスできるように、漫画喫茶６の管理者７ｂは、取次装置５の管理者７ａから提供された専用アプリケーションを漫画喫茶６の端末装置２にインストールした後、漫画喫茶６の店舗識別子とアカウント情報を、専用アプリケーションをインストールした端末装置２に設定する。
【００３７】
（取次処理）
本実施形態の電子書籍取次システム１において、電子書籍を取次装置５に注文する人は、漫画喫茶６に設けられた端末装置２を操作するユーザ７ｃになる。取次装置５に電子書籍を注文する際、ユーザ７ｃは、専用アプリケーションがインストールされた端末装置２を操作して、取次装置５に登録されている電子書籍の中から閲覧したい電子書籍を検索し、検索した電子書籍を端末装置２にダウンロードする。
【００３８】
（閲覧処理）
ユーザ７ｃが、端末装置２にダウンロードされている電子書籍を表示する操作を端末装置２上で行うと、端末装置２は、操作の対象となった電子書籍をディスプレイに表示した後、電子書籍の売り上げとして、電子書籍の閲覧時間を計測し、売上集計期間、端末装置２に設定されているアカウント情報、電子書籍の書籍識別子の組単位で閲覧時間を管理している閲覧時間情報に、計測した閲覧時間を保存する。
【００３９】
（売上処理）
取次装置５から取り次いだ電子書籍の売上管理として、現時刻が、売上集計期間を過ぎると、端末装置２は、売上集計期間、端末装置２に設定されているアカウント情報、電子書籍の書籍識別子の組単位で閲覧時間を管理している閲覧時間情報を取次装置５へ送信する。
【００４０】
（売上集計処理）
漫画喫茶６に設けられた端末装置２に取り次いだ電子書籍の売上を集計する処理として、売上集計期間、端末装置２に設定されているアカウント情報、電子書籍の書籍識別子の組み単位でまとめられた閲覧時間情報を全ての端末装置２から受信すると、取次装置５は、端末装置２から送信された閲覧時間情報を漫画喫茶６の店舗識別子毎、取次委託者の取次委託者識別子毎に集計し、漫画喫茶６への請求金額と取次委託者への支払い金額を算出する。
【００４１】
図３は、取次装置５が備える機能を説明する図である。取次装置５は、ＢＩＯＳ（Basic Input/Output System）が実装されたＲＯＭ（Read Only Memory）、メインメモリとなるＲＡＭ（Random Access Memory）、ハードディスクなどの補助記憶装置、コンピュータプログラムを解釈実行するＣＰＵ（Central Processing Unit）、ネットワークインターフェースなどの通信装置などを備えた少なくとも一台のサーバで構成されるシステムで、図２で説明した処理を行えるように、図３で図示した手段を備える。
【００４２】
また、上述した取次委託者準備処理を実施するために、取次装置５は、取次装置５の利用権限が与えられた取次委託者の取次委託者情報を取次装置５に登録する取次委託者情報管理手段５０と、取次委託者情報を登録する取次委託者情報ＤＢ５８ａを備え、更に、利用権限が与えられた取次委託者の電子書籍を取次装置５に登録する電子書籍管理手段５１と、電子書籍に係る情報を登録するＤＢ（DataBase）として、書籍識別子に対応付けて電子書籍の本体を登録する電子書籍ＤＢ５８ｂと、電子書籍の書誌情報を登録する書誌情報ＤＢ５８ｃと、書籍識別子に関連付けて取次委託者識別子及び単位時間閲覧料を記した電子書籍情報を登録する電子書籍情報ＤＢ５８ｄを備える。
【００４３】
図４は、取次委託者情報、書誌情報および電子書籍情報を説明する図である。図４（ａ）は、取次委託者情報を説明する図で、取次委託者情報には、取次装置５側で取次委託者に割り振った識別子番号等である取次委託者識別子、取次委託者の名前、取次委託者の電話番号、取次委託者の管理者アカウント情報が含まれる。
【００４４】
図４（ｂ）は、書誌情報を説明する図で、書誌情報には、電子書籍の書籍識別子と、電子書籍の書籍名と、電子書籍の著作者名と、電子書籍のあらすじが含まれる。
【００４５】
図４（ｃ）は、電子書籍情報を説明する図で、電子書籍情報には、電子書籍の書籍識別子と、電子書籍の書籍名と、電子書籍の著作者名と、電子書籍を発行した取次委託者の取次委託者識別子と、電子書籍の単位時間当たりの閲覧料である単位時間閲覧料が含まれる。
【００４６】
また、図３に図示したように、上述した店舗準備処理１を実施するために、取次装置５は、取次装置５の利用権限が与えられた漫画喫茶６の店舗情報を取次装置５に登録する店舗情報管理手段５２と、店舗情報を登録する店舗情報ＤＢ５８ｅを備え、本実施形態では、更に、店舗情報が登録された漫画喫茶６に配信可能な電子書籍を定義する配信制御情報を管理する配信制御情報管理手段５３と、配信制御情報を登録する配信制御情報ＤＢ５８ｆを備える。
【００４７】
図５は、店舗情報と配信制御情報を説明する図である。図５（ａ）は、店舗情報を説明する図で、店舗情報には、取次装置５側で漫画喫茶６に割り振った識別子番号等である店舗識別子、漫画喫茶６の店舗名、漫画喫茶６の電話番号、漫画喫茶６の管理者の管理者アカウント情報、漫画喫茶６に設けられる端末装置２に登録するアカウント情報（複数登録可）、店舗に設置されたルータ装置３のグローバルＩＰアドレスが含まれる。端末装置２に設定するアカウント情報は、取次装置５がリクエストを認証する際に用いる情報で、このアカウント情報にはアカウント識別子とパスワードが含まれる。
【００４８】
図５（ｂ）は、配信制御情報を説明する図で、配信制御情報には、漫画喫茶６の店舗識別子と、店舗識別子で特定される漫画喫茶６に配信可能な電子書籍の書籍識別子が記述される。
【００４９】
図３の説明に戻る。上述した取次処理を実施するために、店舗の店舗識別子を含むリクエストとして、書籍識別子を含む配信リクエストを受信すると、配信リクエストを送信した端末装置２に対して、配信リクエストに含まれる書籍識別子に対応する電子書籍を配信する電子書籍配信手段５４と、検索条件に適合する電子書籍を検索する検索リクエストを受信すると、検索条件に適合する電子書籍を検索し、検索リクエストを送信した端末装置２に対して、検索した電子書籍の書籍識別子を記した検索結果を送信する検索手段５５を備える。
【００５０】
また、上述した売上集計処理を実施するために、取次装置５は、売上集計期間、端末装置２に設定されているアカウント情報、電子書籍の書籍識別子の組単位で閲覧時間を管理している閲覧時間情報を含む売上集計リクエストを全ての端末装置２から受信すると、売上集計リクエストに含まれる店舗識別子と、書籍識別子に関連付けて取次委託者識別子及び単位時間閲覧料を記した電子書籍情報とを用いて、電子書籍の閲覧料金を店舗識別子、取次委託者識別子の組単位で集計する売上集計手段５６を備える。
【００５１】
加えて、本実施形態の取次装置５は、端末装置２から送信されたリクエストをリクエスト認証するリクエスト認証手段５７を備え、取次装置５は、端末装置２から送信されたリクエストのリクエスト認証に失敗した場合、端末装置２から送信されたリクエストにかかる処理を中止する。
【００５２】
なお、これまで説明した取次委託者情報管理手段５０、電子書籍管理手段５１、店舗情報管理手段５２、配信制御情報管理手段５３、電子書籍配信手段５４、検索手段５５、売上集計手段５６およびリクエスト認証手段５７は、コンピュータプログラムにより実現される手段である。
【００５３】
図６は、端末装置２が備える機能を説明する図である。端末装置２は、タブレット型のコンピュータやパーソナルコンピュータなど、ディスプレイ等を備えたコンピュータで実現される装置で、図２で説明した処理を行えるように、図６で図示した手段を備える。
【００５４】
図６に図示したように、上述した取次処理を実施するために、端末装置２は、ユーザ７ｃが入力した検索条件を含む検索リクエストを取次装置５へ送信し、取次装置５から受信した検索結果を表示する検索要求手段２０と、電子書籍の検索結果の中から電子書籍を選択する操作がなされると、選択された電子書籍の書籍識別子を含む配信リクエストを取次装置５へ送信し、配信リクエストした電子書籍が取次装置５から配信されると、この電子書籍を端末装置２の記憶装置（例えば、メモリ）にダウンロードするダウンロード手段２１を備える。
【００５５】
また、上述した閲覧処理を実施するために、端末装置２は、記憶装置に保存されている電子書籍を閲覧する操作がなされると、操作の対象となった電子書籍を表示し、電子書籍を表示している時間を閲覧時間として計測した後、端末装置２で記憶している閲覧時間情報に、表示していた電子書籍の書籍識別子に関連付けた状態で閲覧時間を保存する閲覧管理手段２２を備える。
【００５６】
また、上述した売上処理を実施するために、端末装置２は、売上集計日になると、端末装置２に保存している閲覧時間情報を含ませた売上集計リクエストを取次装置５へ送信する売上送信手段２３を備える。
【００５７】
なお、これまで説明した検索要求手段２０、ダウンロード手段２１、閲覧管理手段２２および売上送信手段２３は、コンピュータプログラムにより実現される手段である。
【００５８】
ここから、図２で図示した各処理の詳細について説明しながら、取次装置５および端末装置２が備えている各手段について詳細に説明する。
【００５９】
まず、図２の取次委託者準備処理について説明する。図７は、取次委託者準備処理の詳細を説明する図である。
【００６０】
取次装置５の利用にかかる契約情報が取次委託者の管理者７ｄから提供されると（Ｓ１）、取次装置５の管理者７ａは、取次装置５の取次委託者情報管理手段５０を作動させ、契約情報が提供された取次委託者の取次委託者情報を取次委託者情報ＤＢ５８ａに登録する（Ｓ２）。
【００６１】
取次委託者情報を取次委託者情報ＤＢ５８ａに登録した後、電子書籍の素材（表紙、本文等）と電子書籍情報が取次委託者の管理者７ｄから納品されると（Ｓ３）、取次装置５の管理者７ａ側で、取次委託者から納品された電子書籍の素材から所定のフォーマットの電子書籍および書誌情報を制作し（Ｓ４）、取次装置５の管理者７ａは、電子書籍管理手段５１を作動させて、制作した電子書籍および書誌情報、並びに、電子書籍情報を登録する。
【００６２】
なお、本実施形態では、制作した電子書籍の本体を登録するＤＢは電子書籍ＤＢ５８ｂ、制作した電子書籍の書誌情報を登録するＤＢは書誌情報ＤＢ５８ｃ、電子書籍情報を登録するＤＢは電子書籍情報ＤＢ５８ｄになる。
【００６３】
次に、店舗準備処理１について説明する。図８は、店舗準備処理１の詳細を説明する図である。
【００６４】
取次装置５の利用にかかる契約情報が漫画喫茶６の管理者７ｂから提供されると（Ｓ１０）、取次装置５の管理者７ａは、取次装置５の店舗情報管理手段５２を作動させ、契約情報が提供された漫画喫茶６の店舗情報を店舗情報ＤＢ５８ｅに登録した後（Ｓ１１）、漫画喫茶６の店舗識別子とアカウント情報を漫画喫茶６の管理者７ｂ宛てに送信する（Ｓ１２）。
【００６５】
なお、本実施形態において、漫画喫茶６のアカウント情報は、アカウント識別子と認証情報（ここでは、パスワード）が含まれる。漫画喫茶６で代表となる一つのアカウント情報を用意してもよいが、また、漫画喫茶６に配置する端末装置２毎にアカウント情報が異なるように、漫画喫茶６に配置する端末装置２の数だけアカウント情報を用意してもよい。
【００６６】
漫画喫茶６のアカウント情報を漫画喫茶６の管理者７ｂ宛てに送信した後、取次装置５の管理者７ａは、取次装置５の配信制御情報管理手段５３を作動させ、漫画喫茶６に配信可能な電子書籍を定めるデフォルトの配信制御情報を取次装置５の配信制御情報ＤＢ５８ｆに登録する（Ｓ１３）。なお、デフォルトの配信制御情報には、店舗情報ＤＢ５８ｅに登録した店舗情報の店舗識別子と、取次委託者の意向を元に決定した配信可能な電子書籍の書籍識別子が含まれる。
【００６７】
デフォルトの配信制御情報を配信制御情報ＤＢ５８ｆに登録した後、漫画喫茶６の管理者７ｂは、取次装置５の管理者７aから送信された管理者アカウント情報を利用して、取次装置５へログインした後、取次装置５の配信制御情報管理手段５３を利用して、デフォルトの配信制御情報を漫画喫茶６用にカスタマイズし、カスタマイズ後の配信制御情報を配信制御情報ＤＢ５８ｆに登録する（Ｓ１４）。なお、カスタマイズ後の配信制御情報に記載される書店識別子は、漫画喫茶６の意向を元に決定した配信可能な電子書籍の書籍識別子になる。
【００６８】
カスタマイズ後の配信制御情報が配信制御情報ＤＢ５８ｆに登録されると、漫画喫茶６側で取次装置５を利用できる準備が整ったと判断し、取次装置５の管理者７ａは、漫画喫茶６の管理者７ｂに対して、電子書籍を取次するために必要な専用アプリケーションを送信する（Ｓ１５）。
【００６９】
次に、図２の店舗準備処理２について説明する。図９は、店舗準備処理２の詳細を説明する図である。
【００７０】
電子書籍を取次するために必要な専用アプリケーションが、取次装置５の管理者７ａから漫画喫茶６の管理者７ｂ宛に送信されると、漫画喫茶６の管理者７ｂは、漫画喫茶６に設置する端末装置２に専用アプリケーションをインストールした後（Ｓ２０）、漫画喫茶６の店舗識別子とアカウント情報を端末装置２に設定する（Ｓ２１）。
【００７１】
次に、図２の取次処理について説明する。図１０は、取次処理の詳細を説明する図である。
【００７２】
漫画喫茶６を利用するユーザ７ｃが、漫画喫茶６にて電子書籍を閲覧する際、端末装置２にインストールされている専用アプリケーションを起動させると（Ｓ３０）、端末装置２の検索要求手段２０が作動する。
【００７３】
漫画喫茶６を利用するユーザ７ｃは、検索要求手段２０の画面内に電子書籍の検索条件を入力し、検索ボタンを押すと、端末装置２の検索要求手段２０は、ユーザ７ｃが入力した検索条件を含む検索リクエストを、漫画喫茶６に設けられたルータ装置３を中継させて取次装置５の検索手段５５宛てに送信する（Ｓ３１）。
【００７４】
取次装置５の検索手段５５は、検索リクエストを端末装置２から受信すると、取次装置５のリクエスト認証手段５７が作動し、リクエスト認証手段５７は、端末装置２から受信した検索リクエストをリクエスト認証する（Ｓ３２）。
【００７５】
本実施形態において、取次装置５のリクエスト認証手段５７は、端末装置２から受信した検索リクエストをリクエスト認証する際、まず、検索リクエストに含まれる店舗識別子に対応する店舗情報を店舗情報ＤＢ５８ｅから検索し、検索リクエストのパケットに含まれる送信元ＩＰアドレスと、検索した店舗情報に含まれるグローバルＩＰアドレスを照合する。
【００７６】
検索リクエストのパケットに含まれる送信元ＩＰアドレスの照合に成功すると、取次装置５のリクエスト認証手段５７は、検索した店舗情報に含まれるアカウント情報と、端末装置２から受信した検索リクエストに含まれるアカウント情報を照合する。そして、取次装置５のリクエスト認証手段５７は、アカウント情報の照合に成功すると、端末装置２から受信した検索リクエストの照合に成功したと判定し、それ以外は失敗したと判定する。
【００７７】
リクエスト認証手段５７が、端末装置２から受信した検索リクエストの照合に成功したと判定すると、取次装置５の検索手段５５は、検索した店舗情報に含まれる店舗識別子に対応する配信制御情報を配信制御情報ＤＢ５８ｆから検索した後、配信制御情報ＤＢ５８ｆから検索した配信制御情報で示される書籍識別子に対応する電子書籍を母集合として、端末装置２から受信した検索条件に適合する電子書籍を検索し（Ｓ３３）、検索した電子書籍の書籍識別子を記した検索結果を端末装置２へ送信する（Ｓ３４）。
【００７８】
本実施形態では、端末装置２から受信した検索条件に適合する電子書籍を検索する際、取次装置５の検索手段５５は、電子書籍の書誌情報を利用する。取次装置５の検索手段５５は、配信制御情報ＤＢ５８ｆから検索した配信制御情報で示される書籍識別子に対応する書誌情報の中から、端末装置２から受信した検索条件（ここでは、キーワード）に適合する書誌情報（ここでは、キーワードを含む書誌情報）を検索する。
【００７９】
端末装置２の検索要求手段２０は、検索条件に適合する電子書籍の検索結果を取次装置５から受信すると、端末装置２のディスプレイに電子書籍の検索結果を表示する（Ｓ３５）。
【００８０】
端末装置２に表示している電子書籍の検索結果の中から、一つの電子書籍が選択されると（Ｓ３６）、端末装置２のダウンロード手段２１が作動し、端末装置２のダウンロード手段２１は、まず、ユーザ７ｃが選択した電子書籍が端末装置２にダウンロードされていないか確認する（Ｓ３７）。
【００８１】
ユーザ７ｃが選択した電子書籍が端末装置２にダウンロードされていない場合、端末装置２のダウンロード手段２１は、端末装置２に設定されているアカウント情報と、ユーザ７ｃが選択した電子書籍の書籍識別子を含む配信リクエストを、漫画喫茶６に設けられたルータ装置３を中継させて取次装置５の電子書籍配信手段５４宛てに送信する（Ｓ３８）。
【００８２】
端末装置２から配信リクエストが送信されると、リクエスト認証手段５７は、端末装置２から受信した配信リクエストをリクエスト認証し（Ｓ３９）、リクエスト認証手段５７が、配信リクエストのリクエスト認証に成功すると、取次装置５の電子書籍配信手段５４は、配信リクエストに含まれる店舗識別子に対応する配信制御情報を配信制御情報ＤＢ５８ｆから検索した後、配信リクエストに含まれている書籍識別子が、配信制御情報ＤＢ５８ｆから検索した配信制御情報に記述されているか確認する（Ｓ４０）。
【００８３】
配信リクエストに含まれている書籍識別子が、配信制御ＤＢから検索した配信制御情報に記述されている場合、取次装置５の電子書籍配信手段５４は、配信リクエストに含まれる書籍識別子に対する電子書籍を電子書籍ＤＢ５８ｂから検索し（Ｓ４１）、配信リクエストを送信した端末装置２に対して、検索した電子書籍を配信する（Ｓ４２）。
【００８４】
端末装置２のダウンロード手段２１は、取次装置５から電子書籍を受信すると、受信した電子書籍を端末装置２の記憶装置に保存する（Ｓ４３）。
【００８５】
次に、図２の閲覧処理について説明する。図１１は、閲覧処理の詳細を説明する図である。
【００８６】
端末装置２にダウンロードされている一つの電子書籍を閲覧する操作がなされると（Ｓ５０）、端末装置２の閲覧管理手段２２が作動する。端末装置２の閲覧管理手段２２は、操作の対象となった電子書籍をディスプレイに表示した後（Ｓ５１）、電子書籍の閲覧時間を計測し、売上集計期間、端末装置２に設定されているアカウント情報、電子書籍の書籍識別子の組単位で閲覧時間を管理している閲覧時間情報に、計測した閲覧時間を保存する。なお、電子書籍の閲覧時間は、電子書籍をディスプレイに表示している時間になる。
【００８７】
図１２は、端末装置２に保存される閲覧時間情報を説明する図である。本実施形態において、閲覧時間情報はテーブル形式のデータで、売上集計期間、端末装置２に設定されているアカウント情報、電子書籍の書籍識別子の組単位で閲覧時間を管理するために、閲覧時間情報には、売上集計期間、端末装置２に設定されているアカウント情報、電子書籍の書籍識別子及び閲覧時間を記憶するカラムが設けられる。
【００８８】
閲覧時間の初期値は０時間で、電子書籍の閲覧（表示）が終了すると、売上集計期間、端末装置２に設定されているアカウント情報、閲覧した電子書籍の識別子で特定することのできる閲覧時間に、電子書籍の閲覧時間が加算される。
【００８９】
次に、図２の売上処理について説明する。図１３は、売上処理の詳細を説明する図である。
【００９０】
売上集計期間が訪れると（Ｓ６０）、端末装置２の売上送信手段２３が自動的に作動し、端末装置２の売上送信手段２３は、売上集計期間、端末装置２に設定されているアカウント情報、電子書籍の書籍識別子の組単位で閲覧時間を管理している閲覧時間情報を含む売上集計リクエストを取次装置５へ送信する（Ｓ６１）。
【００９１】
例えば、売上管理を日次で行う場合、売上送信手段２３は、毎日の深夜４時に売上集計リクエストを取次装置５へ送信する。また、売上管理を月次で行う場合、売上送信手段２３は、翌月の第１営業日の深夜４時に売上集計リクエストを取次装置５へ送信する。
【００９２】
取次装置５の売上集計手段５６は、端末装置２から売上集計リクエストが送信されると、リクエスト認証手段５７は、端末装置２から受信した売上集計リクエストをリクエスト認証し（Ｓ６２）、リクエスト認証手段５７が、売上集計リクエストのリクエスト認証に成功すると、端末装置２から受信した売上集計リクエストを保存する（Ｓ６３）。
【００９３】
次に、図２の売上集計処理について説明する。図１４は、売上集計処理の詳細を説明する図である。
【００９４】
取次装置５の売上集計手段５６は、取次装置５と契約している全ての店舗の全ての端末装置２から閲覧時間情報が送信されると、売上集計期間内の閲覧時間情報を漫画喫茶６の店舗識別子、電子書籍の書籍識別子の組単位で集計した後（Ｓ７０）、電子書籍情報を用いて、電子書籍の閲覧料金を店舗識別子、取次委託者識別子の組単位で集計し（Ｓ７１）、漫画喫茶６への請求金額と取次委託者への支払い金額を算出する（Ｓ７２）。
【００９５】
取次装置５の売上集計手段５６が閲覧時間を集計する内容を説明する。図１５は、端末装置２に保存されている電子書籍の閲覧時間の一例を示した図である。
【００９６】
図１５（ａ）は、漫画喫茶６の店舗識別子及びアカウント識別子を説明する図である。図１５（ａ）では、漫画喫茶６の数を２店とし、一方の漫画喫茶６の店舗識別子は漫画喫茶Ａで、他方の漫画喫茶６の店舗識別子は漫画喫茶Ｂである。
【００９７】
また、店舗識別子が漫画喫茶Ａである漫画喫茶６のアカウント識別子は２つで、アカウントＡ１とアカウントＡ２である。また、店舗識別子が漫画喫茶Ｂである漫画喫茶６のアカウント識別子は１つでアカウントＢである。
【００９８】
図１５（ｂ）は、店舗識別子が漫画喫茶Ａである漫画喫茶６に設けられている端末装置２に保存されている電子書籍の閲覧時間で、図１５（ｂ）では、漫画喫茶６に設けられている端末装置２の台数を２台としている。漫画喫茶Ａに設けられている１台の端末装置２に設定されているアカウント識別子はアカウントＡ１で、もう１台の端末装置２に設定されているアカウント識別子はアカウントＡ２である。
【００９９】
アカウント識別子がアカウントＡ１である端末装置２で閲覧された電子書籍の書籍識別子は書籍Ａ、Ｂ及びＣで、それぞれの電子書籍の閲覧時間は１時間、２時間及び３時間である。また、アカウント識別子がアカウントＡ２である端末装置２で閲覧された電子書籍の書籍識別子は書籍Ａ、Ｂ及びＤで、それぞれの電子書籍の閲覧時間は１時間、２時間及び３時間である。
【０１００】
図１５（ｃ）は、店舗識別子が漫画喫茶Ｂである漫画喫茶６に設けられている端末装置２に保存されている電子書籍の閲覧時間で、図１５（ｃ）では、漫画喫茶６に設けられている端末装置２の台数を２台としている。漫画喫茶Ｂに設けられている２台の端末装置２に設定されているアカウント識別子は同一でアカウントＢである。
【０１０１】
アカウント識別子がアカウントＢである１台の端末装置２で閲覧された電子書籍の書籍識別子は書籍Ｂ及びＣで、それぞれの電子書籍の閲覧時間は１時間及び２時間である。また、アカウント識別子がアカウントＢである他方の端末装置２で閲覧された電子書籍の書籍識別子は書籍Ａ及びＢで、それぞれの電子書籍の閲覧時間は１時間及び２時間である。
【０１０２】
図１６は、閲覧時間を集計する内容を説明する図である。図１６（ａ）は、電子書籍情報を説明する図である。図４（ｃ）に図示しているように、電子書籍情報には、電子書籍の書籍識別子と、電子書籍の書籍名と、電子書籍の著作者名と、電子書籍の発行元となる取次委託者の取次委託者識別子と、電子書籍の単位時間閲覧料が含まれるが、図１６（ａ）では、電子書籍の書籍識別子と、電子書籍の発行元となる取次委託者の取次委託者識別子と、電子書籍の単位時間閲覧料のみを図示している。
【０１０３】
図１６（ａ）において、書籍識別子が書籍Ａである電子書籍を発行した取次委託者の取次委託者識別子は取次委託者Ｘ、単位時間閲覧料は１００円で、書籍識別子が書籍Ｂである電子書籍を発行した取次委託者の取次委託者識別子は取次委託者Ｘ、単位時間閲覧料は１００円である。また、書籍識別子が書籍Ｃである電子書籍を発行した取次委託者の取次委託者識別子は取次委託者Ｙ、単位時間閲覧料は５０円で、書籍識別子が書籍Ｄである電子書籍を発行した取次委託者の取次委託者識別子は取次委託者Ｙ、単位時間閲覧料は５０円である。
【０１０４】
図１６（ｂ）は、漫画喫茶６のアカウント識別子に基づき、図１５（ａ）、（ｂ）で図示した電子書籍の閲覧時間を漫画喫茶６の店舗識別子、書籍識別子単位でまとめ、図１６（ａ）で図示した単位時間閲覧料に基づき算出した電子書籍の閲覧料金を付加した表である。
【０１０５】
図１６（ｃ）は、電子書籍情報を用いて、電子書籍の閲覧料金を漫画喫茶６の店舗識別子、取次委託者識別子の組単位で集計した表である。電子書籍情報を参照し、同じ取次委託者識別子から発行された電子書籍の閲覧料金をまとめることで、電子書籍の閲覧料金を漫画喫茶６の店舗識別子、取次委託者識別子の組単位で集計する。
【０１０６】
図１６（ａ）の電子書籍情報によれば、書籍識別子が書籍Ａ及びＢである電子書籍の取次委託者識別子は同じで、書籍識別子が書籍Ｃ及びＤである電子書籍の取次委託者識別子は同じであるため、書籍識別子が書籍Ａ及びＢの閲覧料金をまとめ、書籍識別子が書籍Ｃ及びＤの閲覧料金をまとめることで、電子書籍の閲覧料金が漫画喫茶６の店舗識別子、取次委託者識別子の組単位で集計される。
【０１０７】
図１６（ｄ）は、漫画喫茶６への請求金額である。図１６（ｃ）の表の閲覧料金を漫画喫茶６の店舗識別子単位でまとめることで、漫画喫茶６への請求金額が集計される。
【０１０８】
図１６（ｅ）は、取次委託者への支払い金額である。図１６（ｃ）の表の閲覧料金を取次委託者識別子単位でまとめることで、取次委託者への支払い金額が集計される。
【符号の説明】
【０１０９】
１    電子書籍取次システム
２    端末装置
２０  検索要求手段
２１  ダウンロード手段
２２  閲覧管理手段
２３  売上送信手段
３    ルータ装置
５    取次装置
５０  取次委託者情報管理手段
５１  電子書籍管理手段
５２  店舗情報管理手段
５３  配信制御情報管理手段
５４  電子書籍配信手段
５５  検索手段
５６  売上集計手段
５７  リクエスト認証手段
６    漫画喫茶
【図１】
2013206092.tif 000003
【図２】
2013206092.tif 000004
【図３】
2013206092.tif 000005
【図４】
2013206092.tif 000006
【図５】
2013206092.tif 000007
【図６】
2013206092.tif 000008
【図７】
2013206092.tif 000009
【図８】
2013206092.tif 000010
【図９】
2013206092.tif 000011
【図１０】
2013206092.tif 000012
【図１１】
2013206092.tif 000013
【図１２】
2013206092.tif 000014
【図１３】
2013206092.tif 000015
【図１４】
2013206092.tif 000016
【図１５】
2013206092.tif 000017
【図１６】
2013206092.tif 000018